(57)【要約】      （修正有）【課題】視覚効果が良好で娯楽性が高く、並びに児童の知識欲をかき立てる発光独楽の構造を提供する。【解決手段】対向するよう係止されたカバーと回転体の中空部分において、カバーに発光体取り付け孔が設けられて、発光体を具えた発光セットの固定に供され、発光セットに通電部品と導電部品が設けられ、別にカバーに電池セットとＬ形通電片が設けられ、独楽が静止する時、発光セットに設けられた導電部品とＬ形通電片が不接触で、カバーの透光部の発光体と電池セットが未通電状態とされ、独楽が回転後、導電部品が回転の遠心力により揺動して通電部品と接触し導電状態となり、これにより発光体を通電させ発光させる。【選択図】図１
0003114906.tif 000002
【実用新案登録請求の範囲】
【請求項１】
カバー、回転体、カバー内に設けられた発光セット、Ｌ形通電片、電池セット及びネジ部品を包含する発光独楽であって、
該カバーに柄部、係止凸塊、電池セットを収容する電池溝、発光体の挿着に供される発光体取り付け孔、発光体の通電部品の挿着に供される通電部品穿孔及び螺合部が設けられ、
該回転体に回転部と係止部が設けられ、
該発光セットに発光体、通電部品及び導電部品が設けられ、
該回転体が回転後、導電部品が回転の遠心力を受けて揺動し、導電状態を成し、発光セットを通電させて発光させることを特徴とする、発光独楽。
【請求項２】
請求項１記載の発光独楽において、発光セットに設けられた導電部品が弾性体とされたことを特徴とする、発光独楽。
【請求項３】
請求項１記載の発光独楽において、発光セットに設けられた導電部品が薄型片体とされたことを特徴とする、発光独楽。
【請求項４】
請求項１記載の発光独楽において、発光セットが一組だけ設置されたことを特徴とする、発光独楽。
【請求項５】
請求項１記載の発光独楽において、発光セットが複数組設置されたことを特徴とする、発光独楽。
【請求項６】
請求項１記載の発光独楽において、電池溝と導電部品の間に揺動部品が増設され、回転体回転後の遠心力により揺動部品が揺動させられて導電部品を押動してＬ形通電片に接触させ導電することを特徴とする、発光独楽。
【考案の詳細な説明】
【技術分野】
【０００１】
本考案は児童の好奇心と知識欲を刺激する知育玩具領域に属し、特に、一種の発光独楽の構造に関する。
【背景技術】
【０００２】
現在周知の独楽の構造の多くは、伝統的な形態、即ち、実心形態で設置される。
【０００３】
また、改良型の独楽はプラスチック材料を使用した中空形態とされ、並びに独楽の辺縁に回転時に音を発生する笛が設けられている。
【０００４】
上述の周知の独楽の構造形態は趣味と娯楽の効果を達成できるものの、例えば以下のような多くの欠点を有している。
１．伝統的な独楽は実心材質とされゆえに重量が比較的大きく、児童が独楽を回す時、比較的大きな力が必要であり、児童に対する吸引力を喪失させる。
２．伝統的な独楽は実心材質とされゆえに重量が比較的大きく、児童が独楽で遊ぶ時に、危険な因子が存在する。
３．改良型の独楽はプラスチック材質で中空形態とされ、並びに辺縁に音を発生する笛が設けられており、音を発生することはできるが、視覚効果を具備せず、ゆえに児童に対する吸引力を喪失させる。
【考案の開示】
【考案が解決しようとする課題】
【０００５】
本考案は上述の問題を鑑み、周知の独楽の視覚娯楽効果不良の問題を改善した発光独楽を提供するものである。
【０００６】
即ち本考案の目的は、視覚効果が良好で娯楽性が高く、並びに児童の知識欲をかき立てる発光独楽の構造を提供することにある。
【課題を解決するための手段】
【０００７】
請求項１の考案は、カバー、回転体、カバー内に設けられた発光セット、Ｌ形通電片、電池セット及びネジ部品を包含する発光独楽であって、
該カバーに柄部、係止凸塊、電池セットを収容する電池溝、発光体の挿着に供される発光体取り付け孔、発光体の通電部品の挿着に供される通電部品穿孔及び螺合部が設けられ、
該回転体に回転部と係止部が設けられ、
該発光セットに発光体、通電部品及び導電部品が設けられ、
該回転体が回転後、導電部品が回転の遠心力を受けて揺動し、導電状態を成し、発光セットを通電させて発光させることを特徴とする、発光独楽としている。
請求項２の考案は、請求項１記載の発光独楽において、発光セットに設けられた導電部品が弾性体とされたことを特徴とする、発光独楽としている。
請求項３の考案は、請求項１記載の発光独楽において、発光セットに設けられた導電部品が薄型片体とされたことを特徴とする、発光独楽としている。
請求項４の考案は、請求項１記載の発光独楽において、発光セットが一組だけ設置されたことを特徴とする、発光独楽としている。
請求項５の考案は、請求項１記載の発光独楽において、発光セットが複数組設置されたことを特徴とする、発光独楽としている。
請求項６の考案は、請求項１記載の発光独楽において、電池溝と導電部品の間に揺動部品が増設され、回転体回転後の遠心力により揺動部品が揺動させられて導電部品を押動してＬ形通電片に接触させ導電することを特徴とする、発光独楽としている。
【考案の効果】
【０００８】
本考案は周知の独楽の視覚娯楽効果不良の問題を改善した発光独楽を提供しており、それは、視覚効果が良好で娯楽性が高く、並びに児童の知識欲をかき立てる効果を有する。
【考案を実施するための最良の形態】
【０００９】
図１、２は本考案の発光独楽の立体組合せ図、及び分解図である。本考案の発光独楽は、
カバー１０であって、柄部１１、係止凸塊１２、電池溝１３及び発光体取り付け孔１４が設けられ、該電池溝１３に螺合部１３１と通電部品穿孔１３２が設けられた、上記カバー１０と、
回転体２０であって、回転部２１、係止部２２が設けられた、上記回転体２０と、
発光セット３０であって、該発光セット３０に発光体３１、通電部品３２、及び導電部品３３が設けられた、上記発光セット３０と、
通電片４０と、
電池セット５０と、
ネジ部品６０と、
を包含し、以上の構造の組合せにより、本考案の発光独楽が完成する。
【００１０】
図２の本考案の分解図、及び図３の本考案の組合せ断面局部拡大図を参照されたい。発光セット３０の発光体３１は、カバー１０に設けられた発光体取り付け孔１４に挿着され、発光セット３０の通電部品３２は、カバー１０の電池溝１３底部の通電部品穿孔１３２に挿着され、電池溝１３中に電池セット５０が置かれ、並びに電池溝１３の上面がＬ形通電片４０を制圧し、且つＬ形通電片４０がネジ部品６０で電池溝１３の螺合部１３１に螺設され、発光セット３０の導電部品３３はＬ形通電片４０と電池溝１３の間の自由空間に設けられ、最後にカバー１０外側の係止凸塊１２が回転体２０の係止部２２にアラインされて係止固定が行われる。
【００１１】
図４は本考案の使用状態参考図である。本考案が静止状態にある時、導電部品３３とＬ形通電片４０は相互に不接触であり、ゆえにカバー１０の発光体取り付け孔１４に設けられた発光体３１とＬ形通電片４０は未通電状態とされ、本考案が回された後、導電部品３３は回転の遠心力により揺動してＬ形通電片４０と接触して導電状態を成し、発光セット３０を通電させ発光させる。
【００１２】
図５は本考案の第１実施例参考図である。その全体構造はいずれも図１から図４と同じであるが、発光セット３０の導電部品３３がシート状に改められ、通電片との導電面積が増されている。
【００１３】
図６は本考案の第２実施例参考図である。それによると、カバー１０に左右対称に発光体取り付け孔１４が設けられ、並びに二組の発光セット３０が挿着され、その発生する光輪輝度が増されている。
【００１４】
図７は本考案の第３実施例参考図である。その全体構造は図１から図４と同じであるが、カバー１０に揺動部品穿孔１５が設けられて揺動部品７０の挿着に供され、該揺動部品７０は導電部品３３と電池溝１３の間に位置し、本考案が回される時、揺動部品７０が遠心力により揺動を発生し、導電部品３３を押動してＬ形通電片４０と接触させて通電させ、これにより振り子のような振動を形成し、その趣味性を増している。
【図面の簡単な説明】
【００１５】
【図１】本考案の立体組合せ図である。
【図２】本考案の分解図である。
【図３】本考案の組合せ断面局部拡大図である。
【図４】本考案の使用状態参考図である。
【図５】本考案の第１実施例参考図である。
【図６】本考案の第２実施例参考図である。
【図７】本考案の第３実施例参考図である。
【符号の説明】
【００１６】
１０  カバー
１１  柄部
１２  係止凸塊
１３  電池溝
１３１  螺合部
１３２  通電部品穿孔
１４  発光体取り付け孔
１５  揺動部品穿孔
２０  回転体
２１  回転部
２２  係止部
３０  発光セット
３１  発光体
３２  通電部品
３３  導電部品
４０  Ｌ形通電片
５０  電池セット
６０  ネジ部品
７０  揺動部品
【図１】
0003114906.tif 000003
【図２】
0003114906.tif 000004
【図３】
0003114906.tif 000005
【図４】
0003114906.tif 000006
【図５】
0003114906.tif 000007
【図６】
0003114906.tif 000008
【図７】
0003114906.tif 000009